(57)【要約】【課題】本発明は、無気流による暑さ及び連続的な気流による寒さによる不快感を抑制し、快適性に優れた生活空間とすることができる空気調和機を提供することを課題とする。【解決手段】本発明の空気調和機は、空気吸込口及び空気吹出口と、空気吸込口から室内空気を吸い込み、空気調和された室内空気を空気吹出口から吹き出す送風ファンと、空気吹出口から吹き出される調和空気を上下方向に偏向する上下風向板と、上下風向板の上下方向位置を制御する制御装置と、を備え、上下風向板により在室者が位置しない方向に調和空気を向ける第１状態と、第１状態から上下風向板をスイングさせて在室者を含む方向に一時的に調和空気を向ける第２状態とを繰り返すように上下風向板を制御する。【選択図】  図５
2013134005.tif 000002
【特許請求の範囲】
【請求項１】
空気吸込口及び空気吹出口と、
前記空気吸込口から室内空気を吸い込み、空気調和された室内空気を前記空気吹出口から吹き出す送風ファンと、
空気調和された調和空気を上下方向に偏向する上下風向板と、
前記上下風向板の上下方向位置を制御する制御装置と、を備え、
前記上下風向板により、在室者が位置しない方向に調和空気を向ける第１状態と、
前記第１状態から前記上下風向板をスイングさせて、前記在室者を含む方向に一時的に調和空気を向ける第２状態と、を
繰り返すように前記上下風向板を制御する空気調和機。
【請求項２】
請求項１において、前記第１状態で、冷房運転時には前記上下風向板を水平方向に向ける空気調和機。
【請求項３】
請求項１において、前記第１状態で、前記上下風向板をスイングさせる空気調和機。
【請求項４】
請求項１乃至３の何れかにおいて、前記第２状態では、可働する最大限の範囲で前記上下風向板をスイングさせる空気調和機。
【請求項５】
請求項１乃至４の何れかにおいて、前記第１状態の運転時間よりも前記第２状態の運転時間のほうが短くなるように前記上下風向板を制御する空気調和機。
【請求項６】
請求項５において、前記空気調和機が１〜１０分間運転する間に１回、前記上下風向板を連続的に１〜５回スイングさせて前記第２状態となるように前記上下風向板を制御する空気調和機。
【請求項７】
請求項６において、前記空気調和機が５分間運転する間に１回、前記上下風向板を１回スイングさせて前記第２状態となるように前記上下風向板を制御する空気調和機。
【請求項８】
請求項１乃至７の何れかにおいて、前記在室者からの放熱量が大きいほど、前記在室者からの放熱量が小さくなるように、前記第１状態の運転時間に対する前記第２状態の運転時間を制御する空気調和機。
【請求項９】
請求項８において、設定温度と室内温度との差が大きいほど、前記第１状態の運転時間に対する前記第２状態の運転時間を長くする空気調和機。
【請求項１０】
請求項８において、運転開始からの経過時間が短いほど、前記第１状態の運転時間に対する前記第２状態の運転時間を長くする空気調和機。
【請求項１１】
請求項８において、室内の床、壁、又は、天井からの放射温度が高いほど、前記第１状態の運転時間に対する前記第２状態の運転時間を長くする空気調和機。
【請求項１２】
請求項８において、前記送風ファンの回転数が少ないほど、前記第１状態の運転時間に対する前記第２状態の運転時間を長くする空気調和機。
【請求項１３】
請求項８において、室外の気温が高いほど、前記第１状態の運転時間に対する前記第２状態の運転時間を長くする空気調和機。
【請求項１４】
請求項８において、設定温度が高いほど、前記第１状態の運転時間に対する前記第２状態の運転時間を長くする空気調和機。
【請求項１５】
請求項８において、室内の温度が高いほど、前記第１状態の運転時間に対する前記第２状態の運転時間を長くする空気調和機。
【発明の詳細な説明】
【技術分野】
【０００１】
上下方向に風向を制御する上下風向板を備えた空気調和機に関する。
【背景技術】
【０００２】
壁掛型の空気調和機は、天井付近に設置され、空調空気の上下方向の吹出方向を調整する風向調整板（上下風向板）を備える。上下風向板を連続的にスイングさせて空調空気の吹出方向を上下方向に連続的に変更したり、上下風向板を略水平方向に向けて室内空間の温度分布を均一にしたりするなど、上下風向板により室内の気流分布を調整する。
【０００３】
冷房運転時に上下風向板が略水平方向に固定されると、天井付近から水平に吹き出された空調空気は、部屋の空間の下側略半分の生活空間（天井高さ２.７ｍ、身長１.７ｍの場合床から約６３％の高さまでの空間）には直接的には届かず、壁などにぶつかる。その後、壁などにぶつかった空調空気は、風速が落ち、密度の高さにより下方向へ移動して、生活空間に届く。ユーザは、空調空気の温度により涼しさを感じることができるが、風速の落ちた空調空気からは気流による涼しさを得られない。これは、以下の式で説明することができる。
Ｑ＝α（ＴＳ−ＴＡ）                          …（式１）
Ｑ＝放熱量［Ｗ／ｍ2］
α＝対流熱伝達率［Ｗ／ｍ2℃］
ＴＳ＝皮膚温［℃］
ＴＡ＝空気温度［℃］
【０００４】
ただし、人体からの放熱の経路は対流、放射、蒸発、伝導の４種類あり、（式１）はこの４種類の中の対流のみについての放熱量を示している。本来は、
Ｑ総合＝Ｑ対流＋Ｑ放射＋Ｑ蒸発＋Ｑ伝導          …（式２）
であり、Ｑ総合が大きいほど涼しさを感じられる。ここでは簡単のため特別に記載しない限り対流による放熱量であるＱ対流をＱと記載する。
【０００５】
放熱量Ｑが大きいほどより大きな涼しさを感じられる。（式１）における空調空気による涼しさは、空気温度ＴＡが小さくなることにより、（ＴＳ−ＴＡ）が大きくなり、放熱量Ｑが大きくなることによる。（式１）における気流による涼しさは、対流熱伝達率αにより表される。気流速度が大きいほど対流熱伝達率αは大きくなる。その結果放熱量Ｑも大きくなり、より涼しさを感じることができる。
【０００６】
しかしながら、従来の空気調和機では、気流速度が大きくなり、その結果、放熱量Ｑが大きくなり過ぎることによる寒さからの不快感を避けるため、冷房時には空調空気を水平方向に吹き出すように制御する。しかしながら、気流速度が小さいことによる放熱量の少なさにより、在室者が暑く不快に感じる場合がある。一方、従来の空気調和機では、上下風向板を上下方向にスイングさせて連続的に気流速度の大きな空調空気を生活空間に送風することで、気流による涼しさを提供する。しかしながら、連続的に放熱量が多いため、在室者が寒く不快に感じる場合がある。
【０００７】
これに対して、特許文献１は、室内の空気に対して空気調和処理を行う空気調和機構と、空気調和された空気の吹出方向を調整する風向調整板と、空気調和機構の処理能力を一時的に上昇させるパワフル運転を行うことが可能である制御部と、人が居る方向に空気が吹き出すように決定されている風向調整板の向きの設定値を記憶する記憶部と、を備え、制御部は、パワフル運転の指示入力がなされると、設定値に従って風向調整板の向きを制御する第１制御に切り替える空気調和機を開示する。室内のユーザに向けて空調空気を吹き出すことにより、放熱量を増大させ涼しさを感じられる空調状態とする。
【０００８】
特許文献２は、室内の空気に対して空気調和処理を行う空気調和機構と、空気調和された空気の吹出方向を調整する風向調整板と、空気調和機構の処理能力を一時的に上昇させるパワフル運転を行うことが可能である制御部と、人感知センサとを備え、制御部は、冷房運転時において、通常運転時には風向調整板を略水平方向付近でスイングさせ、パワフル運転の指示入力がなされると、人感知センサからの情報に基づいて人が居る方向を含むように風向調整板のスイング範囲を変更する空気調和機を開示する。ユーザに向けて空調空気を吹き出すことにより、放熱量を増大させ涼しさを感じられる空調状態とする。
【０００９】
しかしながら、スイング運転であっても、それが連続することで、連続的に放熱量Ｑが増大する。放熱量Ｑの連続的な増大は、寒さによる不快感となる。特許文献１，２では、空調空気の吹出方向にユーザを含むようにスイングの方向を調整するが、ユーザは連続して空調空気に曝されるため、Ｑの増大により寒さによる不快を感じる可能性がある。
【先行技術文献】
【特許文献】
【００１０】
【特許文献１】特許第３８１５４７０号公報
【特許文献２】特許第４２１５０３５号公報
【発明の概要】
【発明が解決しようとする課題】
【００１１】
本発明は、無気流による暑さ及び連続的な気流による寒さによる不快感を抑制し、快適性に優れた生活空間とすることができる空気調和機を提供することを課題とする。
【課題を解決するための手段】
【００１２】
本発明の空気調和機は、空気吸込口及び空気吹出口と、空気吸込口から室内空気を吸い込み、空気調和された室内空気を空気吹出口から吹き出す送風ファンと、空気調和された調和空気を上下方向に偏向する上下風向板と、上下風向板の上下方向位置を制御する制御装置と、を備え、上下風向板により在室者が位置しない方向に調和空気を向ける第１状態と、第１状態から上下風向板をスイングさせて在室者を含む方向に一時的に調和空気を向ける第２状態と、を繰り返すように、上下風向板を制御する。
【発明の効果】
【００１３】
本発明によれば、無気流による暑さ及び連続的な気流による寒さによる不快感を抑制し、快適性に優れた生活空間とすることができる空気調和機を提供することができる。
【図面の簡単な説明】
【００１４】
【図１】空気調和機の外観構成図。
【図２】室内機の側断面図。
【図３】定位置吹き出しの場合の上下風向板。
【図４】スイング吹き出しの場合の上下風向板。
【図５】スイング吹き出しと定位置吹き出しとの関係を示す図。
【図６】スイング吹き出しと定位置吹き出しとの関係を示す図。
【図７】スイング吹き出しと定位置吹き出しとの関係を示す図。
【図８】スイング吹き出しと定位置吹き出しとの関係を示す図。
【図９】スイング吹き出しと定位置吹き出しとの関係を示す図。
【図１０】スイング吹き出しと定位置吹き出しとの関係を示す図。
【図１１】スイング吹き出しと定位置吹き出しとの関係を示す図。
【図１２】スイング吹き出しと定位置吹き出しとの関係を示す図。
【図１３】スイング吹き出しと定位置吹き出しとの関係を示す図。
【図１４】スイング吹き出しと定位置吹き出しとの関係を示す図。
【図１５】スイング吹き出しと定位置吹き出しとの関係を示す図。
【図１６】スイング吹き出しと定位置吹き出しとの関係を示す図。
【図１７】スイング吹き出しと定位置吹き出しとの関係を示す図。
【図１８】スイング吹き出しと定位置吹き出しとの関係を示す図。
【図１９】スイング吹き出しと定位置吹き出しとの関係を示す図。
【図２０】スイング吹き出しと定位置吹き出しとの関係を示す図。
【図２１】スイング吹き出しと定位置吹き出しとの関係を示す図。
【図２２】１度ピッチの制御の例。
【図２３】２次関数的な制御の例。
【図２４】ランプ変化の例。
【発明を実施するための形態】
【００１５】
以下、本発明を実施するための形態について、図面を用い説明する。まず、空気調和機の全体構成について図１を用いて説明する。図１は空気調和機の外観構成図である。
【００１６】
室内を空気調和する空気調和機は、室内に設置される室内機と、室外に設置される室外機と、空気調和機の運転様態を設定する空調設定装置（リモコン）と、室内機と室外機とを繋ぐ接続配管とを備える。
【００１７】
室外機は、圧縮機、室外送風機、室外熱交換器等を備える。室外機の圧縮機と室外熱交換器は、接続配管の２本の冷媒配管により、後述する室内機の熱交換器（図２参照）と接続され、冷媒を循環させることにより冷凍サイクルを構成する。
【００１８】
次に、空気調和機を構成する室内機について図２を用いて説明する。図２は室内機の側断面図である。室内機は、筐体ベースの中央部に室内熱交換器と、室内熱交換器の下流側に室内熱交換器の幅と略等しい長さの横流ファン方式の送風ファンと、室内熱交換器で結露した凝縮水を受ける露受皿とを備える。
【００１９】
また、室内機の筐体ベースには、フィルタ、上下風向板、左右風向板等の基本的な内部構造体が取り付けられる。これらを化粧枠で覆い、化粧枠の前面に前面パネルを取り付けることにより、筐体ベース、化粧枠、前面パネルからなる筐体に内包され室内機を構成する。
【００２０】
空気吸込口は、室内機の上部に設けられた上側空気吸込部と、室内機の前面に設けられた前側空気吸込部とで構成される。ここで、前面パネルは、下端部に設けた回動軸を支点として駆動モータにより回動され、空気調和機の運転時に前側空気吸込部を開くように構成される。これにより、室内空気は、空気調和機の運転時に前側空気吸込部からも室内機内に吸引される。なお、空気調和機の運転停止時には、前面パネルを回動し、前側空気吸込部を閉じるように制御される。化粧枠の下面に形成される空気吹出口は、前面パネルと化粧枠との分割部に隣接して配置され、室内機の内部の吹出風路に連通する。
【００２１】
フィルタは室内熱交換器の吸込側を覆うように配置される。フィルタにより、空気吸込口（上側空気吸込部、前側空気吸込部）から吸い込まれた室内空気中に含まれる塵埃が取り除かれる。また、露受皿は室内熱交換器の前後両側の下端部下方に配置され、冷房運転時や除湿運転時に室内熱交換器に発生する凝縮水を受ける。露受皿にて集められた凝縮水は、接続配管の内部に設けられたドレン配管を通して室外に排出される。
【００２２】
送風ファンが回転すると、室内空気が空気吸込口から室内熱交換器へ流れる。そして、室内熱交換器にて温度調整、湿度調整された空調空気は、送風ファンを通って送風ファンの長さに略等しい幅の吹出風路に流れる。その後、空調空気は、吹出風路に位置する左右風向板で左右方向を偏向されるとともに、空気吹出口に位置する上下風向板で上下方向を偏向されて、室内に吹き出す。
【００２３】
２枚の上下風向板は、両端部に設けた回動軸を支点にして、リモコンの指示等に応じて、駆動モータにより空気調和機の運転時に所要の角度まで回動されて空気吹出口を開き、その状態に保持される。空気調和機の運転停止時には、上下風向板を回動し、空気吹出口を閉じるように制御される。上下風向板は、閉鎖状態で、吹出風路をほぼ隠蔽して室内機の底面に連続するように構成されている。
【００２４】
左右風向板は、下端部に設けた回動軸を支点にして、リモコンからの指示等に応じて、駆動モータにより所要の角度まで回動され、その状態に保持される。
【００２５】
このように、空気調和機の室内機は、リモコンからの指示に応じて、上下風向板、左右風向板を所要の角度まで回動して、空調空気を空気吹出口から上下左右に偏向し所望の方向に吹き出す。
【００２６】
なお、リモコンからの指示等により、空気調和機の運転中に上下風向板、左右風向板を周期的に揺動させ、室内の広範囲に周期的に空調空気を吹き出すこともできる。
【００２７】
室内機は、前側空気吸込部の近くに、室内機へ吸い込まれる室内空気の温度（以下「吸込み空気温度」という。）を検出する室内機サーミスタを備える。また、室内機は、室内機へ吸い込まれる室内空気の湿度を検出する室内湿度センサを備える。
【００２８】
ここで、室内機送受光部の構成について説明する。室内機の化粧枠の下部には、室内機とリモコンとの間で赤外線信号を送受信するための室内機送受光部と、空気調和機の運転状況を表示する表示装置とが配置される。室内機送受光部は、リモコンからの赤外線信号を受信するＩＲレシーバと、室内機が設置された室内の中央に向けて赤外線信号を送信する中央送信素子と、室内機が設置された室内の左側に向けて赤外線信号を送信する左送信素子と、室内機が設置された室内の右側に向けて赤外線信号を送信する右送信素子とを備える。
【００２９】
また、室内機は、内部の電装品ボックスに制御基板を備え、この制御基板にマイコンと記憶装置が設けられる。マイコンは、室内機サーミスタ、室内湿度センサ等の各種のセンサからの信号を受け取ると共に、室内機送受光部（ＩＲレシーバ）を介してリモコンからの赤外線信号を受け取る。マイコンは、これらの信号に基づいて、送風ファンの駆動モータ、前面パネルの駆動モータ、上下風向板の駆動モータ、左右風向板の駆動モータ等を制御すると共に、接続配管の電線を介して室外機（圧縮機、室外送風機等）との通信を司り、室内機および室外機を統括して制御する。また、マイコンは、室内機送受光部（中央送信素子、左送信素子、右送信素子）を介して、リモコンに赤外線信号を送信することができる。
【００３０】
次に、本実施例の上下風向板の運転制御について図３から図６を用いて説明する。本実施例の空気調和機は、空気吸込口及び空気吹出口と、空気吸込口から室内空気を吸い込み、空気調和された室内空気を空気吹出口から吹き出す送風ファンと、空気調和された調和空気を上下方向に偏向する上下風向板と、上下風向板の上下方向位置を制御する制御装置と、を備え、上下風向板により在室者が位置しない方向に調和空気を向ける第１状態と、第１状態から上下風向板をスイングさせて在室者を含む方向に一時的に調和空気を向ける第２状態と、を繰り返すように、上下風向板を制御する。尚、図３に示すような上下風向板により在室者が位置しない方向に調和空気を向ける第１状態と、図４に示すような第１状態から上下風向板をスイングさせて在室者を含む方向に一時的に調和空気を向ける第２状態とを繰り返すことを、以下「断続スイング運転」という。尚、本実施例では、特に、冷房運転時の第１状態においては上下風向板を略水平方向の定位置に固定し、暖房運転時の第１状態においては上下風向板を在室者が存在する位置よりも手前下方の定位置に固定する。両状態を合わせて以下「定位置吹き出し」という。
【００３１】
断続スイング制御の指示入力を受けた場合、定位置吹き出し（図３）とスイング吹き出し（図４）とを交互に行う（図５、図６）。定位置吹き出しの状態では、例えば冷房運転では、略水平方向へ上下風向板を向け、空調空気を略水平方向に吹き出す。一方、暖房運転では、在室者が存在する位置よりも手前下方に上下風向板を向け、空調空気を空気調和機下方に吹き出す。
【００３２】
ここで、例えば冷房運転時に、断続スイング制御の指示入力を受けると、上下風向板を所定の回数スイングさせるスイング吹き出しと、上下風向板を略水平方向に位置させ所定時間吹き出す定位置吹き出しを繰り返す。具体的には、例えば、断続スイング制御の指示入力を受けると、上下風向板を１回スイングさせ、その５分間は水平方向へ上下風向板を向けて固定し定位置吹き出しを行う。さらに定位置吹き出しを５分間行った後には再び上下風向板を１回スイングさせる。
【００３３】
これにより、連続して上下風向板をスイングさせる場合に生じる寒さによる不快感を防ぐことができるとともに、上下風向板を略水平方向に向け続けた場合に生じる気流の無い暑さによる不快感も防ぐことができる。従って、気流による涼しさを感じつつ寒さによる不快感を抑制した快適な温熱環境を提供することができる。
【００３４】
ここで、上下風向板のスイング回数を１回としたのは、複数回スイングすることにより、気流による放熱の増大で寒さを感じる危険性を考慮したからであり、室温が高い場合など放熱量を増大させたい場合には、複数回スイングすることにより、放熱量を増大させより涼しさを感じさせることができる。
【００３５】
以上説明したように、本実施例においては、上下風向板により在室者が位置しない方向に調和空気を向ける第１状態（例えば、冷房時では略水平方向）と、第１状態から上下風向板をスイングさせて在室者を含む方向に一時的に調和空気を向ける第２状態と、を繰り返すように上下風向板を制御する。従来の空気調和機でも、上下風向板を一定位置で固定して吹き出す制御も、上下風向板をスイングさせる制御も行われていた。しかし、上下風向板を定位置で固定して吹き出す制御の場合には、上下風向板が略水平方向に向けられているため、生活空間には気流速度の低下した空調空気が生活空間の上部から沈んでくるのみで、速度の低下した空調空気から気流による体からの放熱量を増大させることはできず、気流による涼しさを感じることはできなかった。また上下風向板をスイングさせる制御の場合には、室内機から吹き出された気流速度の高い空調空気は数秒に一回生活空間に供給されるため、数秒に一回皮膚からの放熱量が増大することによる寒さを感じる危険性があった。そこで、本発明の空気調和機では、上下風向板により在室者が位置しない方向に調和空気を向ける第１状態（例えば、冷房時では略水平方向）と、第１状態から上下風向板をスイングさせて在室者を含む方向に一時的に調和空気を向ける第２状態と、を繰り返すように上下風向板を制御することで、気流による涼しさを感じつつ寒さによる不快感の無い快適な温熱環境を提供することを可能とした。
【００３６】
尚、本実施例においては、冷房運転時を例にして説明したが、本発明の断続スイング制御は、暖房運転時にも適用することができる。
【００３７】
また、本実施例では、冷房運転時又は暖房運転時に係らず、断続スイング制御を行うように指示入力された場合には、上下風向板をスイングさせるスイング吹き出しと、上下風向板を固定して吹き出す定位置吹き出しとを交互に行う例を説明した。しかしながら、冷房時に断続スイングの指示入力がある場合のみ、スイング吹き出しと定位置吹き出しとを交互に行うよう上下風向板の向きを制御してもよい。これにより、冷房運転時の気流による涼しさの向上と寒さによる不快感の回避とを実感させることができる。
【００３８】
また、本実施例においては、在室者が位置しない方向に調和空気を向ける第１状態として、具体的には、例えば冷房運転時では、上下風向板を略水平方向に固定させる状態としたが、例えば暖房運転時では、在室者が存在する位置よりも手前下方に上下風向板を向け、空調空気を空気調和機下方に吹き出すようにする。これにより、在室者が位置しない方向に調和空気を向ける第１状態において、冷風又は温風を確実に在室者に向けないように制御することができる。
【００３９】
また、本実施例においては、在室者が位置しない方向に調和空気を向ける第１状態として、具体的には、例えば冷房運転時では上下風向板を略水平方向に固定させる状態としたが、在室者が位置しない範囲で上下風向板をスイングさせるようにしてもよい。具体的には、冷房運転時であれば、水平方向周辺で上下風向板をスイングさせてもよいし、水平方向よりも上方の範囲内での上下風向板をスイングさせてもよい。このような運転により、在室者が位置しない方向に調和空気を向ける第１状態であっても、室内に気流の変化を生じさせ、室内の温度をより早く均一化することができる。
【００４０】
また、本実施例においては、上下風向板をスイングさせて在室者を含む方向に一時的に調和空気を向けるようにしたが、この場合、人検知手段等により在室者の位置情報を入手している場合は、この在室者の位置情報等を利用して、在室者を含む方向に一時的に調和空気を向けることができる。一方、人検知手段等を備えずに在室者の位置情報を入手できない場合であっても、上下風向板が最大限可働する範囲で上下風向板をスイングさせることにより、冷風又は温風を在室者に向けて確実に送風させることができる。
【００４１】
次に、本発明の第２の実施例について図面を用いて説明する。本実施例においては、上下風向板により在室者が位置しない方向に調和空気を向ける第１状態の運転時間（ＴＴ）よりも、上下風向板をスイングさせて在室者を含む方向に一時的に調和空気を向ける第２状態の運転時間（ＴＳ）のほうが短くなるように上下風向板を制御する（図７）。つまり、ＴＳ＜ＴＴとなるようにそれぞれの運転時間を設定する。
【００４２】
これにより、スイング吹き出しにより空調空気を生活空間に供給することによる温度と気流による人体からの放熱量が増大（（式１）におけるＴＳの低下とαの増大によるＱの増大）する時間に対し、定位置吹き出しにより温度のみによる人体からの放熱量のみが増大する時間を長くすることで、例えば冷房運転時であれば寒さによる不快感をより確実に回避することができる。
【００４３】
具体的には、例えば、一回スイングする時間がおよそ１０秒である場合に、スイング吹き出しの時間をスイング１回分の１０秒とする。また定位置吹き出しの時間を、人が温熱的な快適さに慣れるまでの時間である５分とする。この場合、スイング吹き出しの時間は定位置吹き出しの時間より短く、スイング吹き出しによる気流の増大に伴う放熱量の増加で寒さによる不快を感じる前にスイング吹き出しから定位置吹き出しに切り替えることができ、寒さによる不快を感じることを抑制することができる。また、定位置吹き出しにより低下した気流速度により放熱量が低下したことによる暑さによる不快を感じる前に、スイング吹き出しに切り替えることで、暑さによる不快を感じることを抑制することができる。尚、定位置吹き出しの時間を５分間として例えたのは、人は快適と感じるような空間に入ってからおよそ５分間でその快適さに慣れるため、スイングによる放熱量の増大で快適さを感じてからおよそ５分後にスイングすることで、快適さに慣れたころに再び快適さを提供することができるためである。
【００４４】
（式１）の通り、対流による放熱量は、人体周囲の空気温度と対流熱伝達率に大きく依存する。また、対流熱伝達率は、気流速度に大きく依存する。すなわち、冷房や暖房による空調空気が人体周囲に供給されることにより、人体からの放熱量は、冷房時には急増し、暖房時には急減する。人体からの放熱量が急増または急減する頻度、すなわち断続スイングの頻度は１分から１０分に１回の連続した１スイングから５スイングであると、例えば冷房時には積極的な快適性を得やすい。より好ましくは、５分に１回の１スイング程度であると、より大きな積極的な快適性を得やすく、また気流が度々体に当たることによる喧騒さも感じにくい。
【００４５】
本発明の第３の実施例について図面を用いて説明する。本実施例は、在室者からの放熱量が大きいほど在室者からの放熱量が小さくなるように（在室者からの放熱量が小さいほど在室者からの放熱量が大きくなるように）、上下風向板により在室者が位置しない方向に調和空気を向ける第１状態の運転時間に対する上下風向板をスイングさせて在室者を含む方向に一時的に調和空気を向ける第２状態の運転時間を制御する。
【００４６】
具体的には、在室者からの放熱量が大きいほど、在室者からの放熱量が小さくなるように、上下風向板により在室者が位置しない方向に調和空気を向ける第１状態の運転時間に対する上下風向板をスイングさせて在室者を含む方向に一時的に調和空気を向ける第２状態の運転時間を制御する。
【００４７】
この場合、設定室温と室温との差が大きいほどスイング吹き出し（第２状態）の時間を長くすることができる（図８）。例えば、設定室温が２７度で室温が２９度の場合ではスイング吹き出しの時間を短くし（例えばスイング１回分の１０秒）、設定室温が２７度で室温が３５度の場合ではスイング吹き出しの時間を長くする（例えばスイング３回分の３０秒）ことで、ユーザが求めている放熱量（（式１）におけるＱ）に対し、生活空間の温度と設定室温との差が小さく放熱量が大きい（ＴＳの低さによるＱの増大）場合には気流による放熱量の増大を減らし（αを小さくしてＱの増大を低くする）、生活空間の温度と設定室温との差が大きく放熱量が小さい（ＴＳの高さによるＱの低減）場合には気流による放熱量を増やす。これにより、室温と設定室温との差が小さい場合には気流による放熱量の増大による寒さの不快感を避けることができ、また室温と設定室温との差が大きい場合には気流による放熱量の増大で涼しさを得ることができる。
【００４８】
一方、設定室温と室温との差が大きいほど定位置吹き出し（第１状態）の時間を短くすることができる（図９）。例えば設定室温が２７度で室温が２９度の場合では定位置吹き出し時間を長くし（例えば人が快適さに慣れる時間の２倍の１０分）、設定室温が２７度で室温が３５度の場合では定位置吹き出し時間を短くする（例えば人が快適さに慣れる時間の５分）ことで、ユーザが求めている放熱量（（式１）におけるＱ）に対し、生活空間の温度と設定室温との差が小さく放熱量が大きい（ＴＳの低さによるＱの増大）場合には気流による放熱量の増大を減らし（αを小さくしてＱの増大を低くする）、生活空間の温度と設定室温との差が大きく放熱量が小さい（ＴＳの高さによるＱの低減）場合には気流による放熱量の増大を増やす。これにより、室温と設定室温との差が小さい場合には気流による放熱量の増大による寒さの不快感を避けることができ、また室温と設定室温との差が大きい場合には気流による放熱量の増大で涼しさを得ることができる。
【００４９】
本発明の第４の実施例について図面を用いて説明する。本実施例は、在室者からの放熱量が大きいほど在室者からの放熱量が小さくなるように（在室者からの放熱量が小さいほど在室者からの放熱量が大きくなるように）、上下風向板により在室者が位置しない方向に調和空気を向ける第１状態の運転時間に対する上下風向板をスイングさせて在室者を含む方向に一時的に調和空気を向ける第２状態の運転時間を制御するものであり、特に、運転開始からの経過時間が短いほど、第１状態の運転時間に対する第２状態の運転時間を長くする。
【００５０】
この場合、運転開始からの経過時間が短いほどスイング吹き出しの時間を長くすることができる（図１０）。例えば運転開始からの時間が１０分（例えば人が快適さに慣れる時間の２倍の１０分）以内の場合スイング吹き出しの時間を長くし（例えばスイング３回分の３０秒）、それ以降はスイング吹き出しの時間を短くする（例えばスイング１回分の１０秒）。これにより、運転開始から１０分までに十分大きな放熱量の増大により十分大きな快適感を得たあと、スイング吹き出しの時間を短くすることで寒さによる不快感の発生を防ぐことができる。
【００５１】
一方、運転開始からの経過時間が短いほど定位置吹き出しの時間を短くすることができる（図１１）。例えば運転開始からの時間が１０分（例えば人が快適さに慣れる時間の２倍の１０分）以内の場合定位置吹き出しの時間を短くし（例えば人が快適さに慣れるまでの時間の５分）、それ以降は定位置吹き出しの時間を長くする（例えば人が快適さに慣れる時間の２倍の１０分）。これにより、運転開始から１０分までに十分大きな放熱量の増大により十分大きな快適感を得たあと、定位置吹き出しの時間を長くすることで寒さによる不快感の発生を防ぐことができる。
【００５２】
尚、本実施例における「運転開始からの経過時間」とは、空気調和機の運転開始からの経過時間であっても、暖房、冷房、除湿などの各々の運転モードでの運転開始からの経過時間であっても、断続スイング運転での運転開始からの経過時間であってもよい。
【００５３】
本発明の第５の実施例について図面を用いて説明する。本実施例は、在室者からの放熱量が大きいほど在室者からの放熱量が小さくなるように（在室者からの放熱量が小さいほど在室者からの放熱量が大きくなるように）、上下風向板により在室者が位置しない方向に調和空気を向ける第１状態の運転時間に対する上下風向板をスイングさせて在室者を含む方向に一時的に調和空気を向ける第２状態の運転時間を制御するものであり、特に、室内の床、壁、又は、天井からの放射温度が高いほど、第１状態の運転時間に対する前記第２状態の運転時間を長くする。
【００５４】
この場合、赤外線センサにより室内の床や壁や天井の温度を測定し、その温度が高いほどスイング吹き出しの時間を長くすることができる（図１２）。例えば、壁や床や天井の温度が４０度で、壁や床や天井から人体へ放射により熱が供給される場合（（式２）におけるＱ放射、皮膚の温度はおよそ３２度）、スイング吹き出しの時間を長くし（例えばスイング３回分の３０秒）、壁や床や天井の温度が２７度で人体から壁や床や天井へ熱が供給される場合、スイング吹き出しの時間を短くする（例えばスイング１回分の１０秒）。これにより、放射温度が高い場合には放熱量の増大によりより大きな快適感を得ることができ、放射温度が低い場合にはスイング吹き出しの時間を短くすることで寒さによる不快感の発生を防ぐことができる。
【００５５】
一方、赤外線センサにより室内の床や壁や天井の温度を測定し、その温度が高いほど定位置吹き出しの時間を短くすることができる（図１３）。例えば、壁や床や天井の温度が４０度で、壁や床や天井から人体へ放射により熱が供給される場合（（式２）におけるＱ放射、皮膚の温度はおよそ３２度）、定位置吹き出しの時間を短くし（例えば人が快適さに慣れるまでの時間の５分）、壁や床や天井の温度が２７度で人体から壁や床や天井へ熱が供給される場合、定位置吹き出しの時間を短くする（例えば人が快適さに慣れる時間の２倍の１０分）。これにより、放射温度が高い場合には放熱量の増大により大きな快適感を得ることができ、放射温度が低い場合には定位置吹き出しの時間を長くすることで寒さによる不快感の発生を抑制することができる。
【００５６】
本発明の第６の実施例について図面を用いて説明する。本実施例は、在室者からの放熱量が大きいほど在室者からの放熱量が小さくなるように（在室者からの放熱量が小さいほど在室者からの放熱量が大きくなるように）、上下風向板により在室者が位置しない方向に調和空気を向ける第１状態の運転時間に対する上下風向板をスイングさせて在室者を含む方向に一時的に調和空気を向ける第２状態の運転時間を制御するものであり、特に、送風ファンの回転数が少ないほど、第１状態の運転時間に対する第２状態の運転時間を長くする。
【００５７】
この場合、室内ファンの回転数が少ないほどスイング吹き出しの時間を長くすることができる（図１４）。例えば、気流速度が微風の設定の場合など室内ファンの回転数が少なく気流による放熱量の少ない場合にはスイング吹き出しの時間を長くし（例えばスイング３回分の３０秒）、気流速度の設定が強風の場合など室内ファンの回転数が多い場合にはスイング吹き出しの時間を短くする（例えばスイング１回分の１０秒）。これにより、設定風速の小さい場合には気流による放熱量の増大によりより大きな快適感を得ることができ、設定風速が大きい場合には気流による放熱の増大に伴う寒さによる不快感の発生を抑制することができる。
【００５８】
一方、室内ファンの回転数が少ないほど定位置吹き出しの時間を短くすることができる（図１５）。例えば、気流速度が微風の設定の場合など室内ファンの回転数が少なく、気流による放熱量の少ない場合には定位置吹き出しの時間を短くし（例えば人が快適さに慣れるまでの時間の５分）、気流速度の設定が強風の場合など室内ファンの回転数が多い場合には定位置吹き出しの時間を長くする（例えば人が快適さに慣れる時間の２倍の１０分）。これにより、設定風速の小さい場合には気流による放熱量の増大によりより大きな快適感を得ることができ、設定風速が大きい場合には気流による放熱の増大に伴う寒さによる不快感の発生を抑制することができる。
【００５９】
しかしながら、上記とは反対に、在室者からの放熱量とは関係なく、室内ファンの回転数が多いほどスイング吹き出しの時間を長くしてもよい。これにより、室内ファンの回転数が多くユーザが気流による放熱をより多く求めている場合にはスイング吹き出しの時間を長くし（例えばスイング３回分の３０秒）、室内ファンの回転数が少なくユーザが気流による放熱の促進を求めていない場合にはスイング吹き出しの時間を短くする（例えばスイング１回分の１０秒）ことで、ユーザの要求をより進めた温熱環境を提供することができる。また、同様に、室内ファンの回転数が多いほど定位置吹き出しの時間を長くしてもよい。これにより、室内ファンの回転数が多くユーザが気流による放熱をより多く求めている場合には定位置吹き出しの時間を短くし（例えば人が快適さに慣れるまでの時間の５分）、室内ファンの回転数が少なくユーザが気流による放熱の促進を求めていない場合には定位置吹き出しの時間を長くする（例えば人が快適さに慣れる時間の２倍の１０分）ことで、ユーザの要求をより進めた温熱環境を提供することができる。
【００６０】
本発明の第７の実施例について図面を用いて説明する。本実施例は、在室者からの放熱量が大きいほど在室者からの放熱量が小さくなるように（在室者からの放熱量が小さいほど在室者からの放熱量が大きくなるように）、上下風向板により在室者が位置しない方向に調和空気を向ける第１状態の運転時間に対する上下風向板をスイングさせて在室者を含む方向に一時的に調和空気を向ける第２状態の運転時間を制御するものであり、特に、室外の気温が高いほど、第１状態の運転時間に対する第２状態の運転時間を長くする。
【００６１】
この場合、外気温度が高いほどスイング吹き出しの時間を長くすることができる（図１６）。例えば、外気温度が４０度の場合ではスイング吹き出しの時間を長くし（例えばスイング３回分の３０秒）、外気温度が３０度の場合ではスイング吹き出しの時間を短くする（例えばスイング１回分の１０秒）。これにより、高い外気温の熱が壁や床や天井を貫通して放射や伝導による人体からの放熱が小さくなる（（式２）におけるＱ放射とＱ伝導が小さくなる）場合に、気流により放熱量を増大させ（（式１）においてαを大きくすることによりＱを大きくさせる）、涼しさによる快適感を得ることができる。また、外気温度が低い場合には、放射や伝導による放熱量が大きいため、対流による放熱を低くすることで寒さによる不快感を防ぐことができる。
【００６２】
一方、外気温度が高いほど定位置吹き出しの時間を短くすることができる（図１７）。例えば、外気温度が４０度の場合では定位置吹き出しの時間を短くし（例えば人が快適さに慣れるまでの時間の５分）、外気温度が３０度の場合では定位置吹き出しの時間を長くする（例えば人が快適さに慣れる時間の２倍の１０分）。これにより、高い外気温の熱が壁や床や天井を貫通して放射や伝導による人体からの放熱が小さくなる（（式２）におけるＱ放射とＱ伝導が小さくなる）場合に気流により放熱量を増大させ（（式１）においてαを大きくすることによりＱを大きくさせる）涼しさによる快適感を得ることができる。また、外気温度が低い場合には、放射や伝導による放熱量が大きいため、対流による放熱を低くすることで寒さによる不快感を防ぐことができる。
【００６３】
本発明の第８の実施例について図面を用いて説明する。本実施例は、在室者からの放熱量が大きいほど在室者からの放熱量が小さくなるように（在室者からの放熱量が小さいほど在室者からの放熱量が大きくなるように）、上下風向板により在室者が位置しない方向に調和空気を向ける第１状態の運転時間に対する上下風向板をスイングさせて在室者を含む方向に一時的に調和空気を向ける第２状態の運転時間を制御するものであり、特に、設定温度が高いほど、第１状態の運転時間に対する第２状態の運転時間を長くする。
【００６４】
この場合、設定温度が高いほどスイング吹き出しの時間を長くすることができる（図１８）。例えば、設定温度が２９度の場合ではスイング吹き出の時間を長くし（例えばスイング３回分の３０秒）、設定温度が２５度の場合ではスイング吹き出しの時間を短くする（例えばスイング１回分の１０秒）。これにより、設定室温が高く人体からの放熱が少ない場合には気流により人体からの放熱量を増やし涼しさによる快適を感じることができ、設定室温が低く人体からの放熱が多い場合には気流による放熱の増大を小さくし寒さによる不快感を防ぐことができる。
【００６５】
一方、設定温度が高いほど定位置吹き出しの時間を短くすることができる（図１９）。例えば、設定温度が２９度の場合では定位置吹き出の時間を短くし（例えば人が快適さに慣れるまでの時間の５分）、設定温度が２５度の場合では定位置吹き出しの時間を長くする（例えば人が快適さに慣れる時間の２倍の１０分）。これにより、設定室温が高く人体からの放熱が少ない場合には気流により人体からの放熱量を増やし涼しさによる快適を感じることが可能となり、設定室温が低く人体からの放熱が多い場合には気流による放熱の増大を小さくし寒さによる不快感を防ぐことができる。
【００６６】
本発明の第９の実施例について図面を用いて説明する。本実施例は、在室者からの放熱量が大きいほど在室者からの放熱量が小さくなるように（在室者からの放熱量が小さいほど在室者からの放熱量が大きくなるように）、上下風向板により在室者が位置しない方向に調和空気を向ける第１状態の運転時間に対する上下風向板をスイングさせて在室者を含む方向に一時的に調和空気を向ける第２状態の運転時間を制御するものであり、特に、室内の温度が高いほど、第１状態の運転時間に対する第２状態の運転時間を長くする。
【００６７】
この場合、室温が高いほどスイング吹き出しの時間を長くすることができる（図２０）。例えば、室温が２９度の場合ではスイング吹き出しの時間を短くし（例えばスイング１回分の１０秒）、室温が３５度の方が、スイング吹き出しの時間を長くする（例えばスイング３回分の３０秒）。これにより、生活空間の温度が低く放熱量が大きい（ＴＳの低さによるＱの増大）場合には気流による放熱量の増大量を減らし（αを小さくしてＱの増大を低くする）、生活空間の温度が高く放熱量が小さい場合には気流による放熱量の増大量を増やすことで、室温が低い場合には気流による放熱量の増大による寒さの不快感を避けることができ、また室温が高い場合には気流による放熱量の増大で涼しさを得ることができる。
【００６８】
一方、室温が低いほど定位置吹き出しの時間を長くすることができる（図２１）。例えば、室温が２９度の場合では定位置吹き出しの時間を長くし（例えば人が快適さに慣れる時間の２倍の１０分）、室温が３５度の方が、定位置吹き出しの時間を長くする（例えば人が快適さに慣れる時間の５分）。これにより、生活空間の温度が低く放熱量が大きい（ＴＳの低さによるＱの増大）場合には気流による放熱量の増大量を減らし（αを小さくしてＱの増大を低くする）、生活空間の温度が高く放熱量が小さい場合には気流による放熱量の増大量を増やすことで、室温が低い場合には気流による放熱量の増大による寒さの不快感を避けることができ、また室温が高い場合には気流による放熱量の増大で涼しさを得ることができる。
【００６９】
上記各実施例においては、ユーザがスイング吹き出しの時間に関わらない場合について説明した。しかし、本発明はこれに限定されるものではない。
【００７０】
例えば、初期の設定に加え、ユーザがスイング吹き出しの時間をリモコンで設定する制御としてもよい。これにより、スイング吹き出しの時間の初期の設定（例えばスイング１回分の１０秒）での運転時に、ユーザが気流による放熱の増大を求めた場合、スイング吹き出しの時間が長くなるよう（例えばスイング３回分の３０秒）リモコンで設定することができ、ユーザの好みに合わせた温熱環境を提供することができる。また、スイング吹き出しの時間の初期の設定（例えばスイング３回分の３０秒）での運転時にユーザが気流による放熱の増大による寒さを感じた場合、スイング吹き出しの時間を短く（例えばスイング１回分の１０秒）することで、ユーザにとってより快適な温熱環境を提供することができる。
【００７１】
また、初期の設定に加え、ユーザが定位置吹き出しの時間をリモコンで設定する制御としてもよい。これにより、定位置吹き出しの時間の初期の設定（例えば人が快適さに慣れる時間の２倍の１０分）での運転時に、ユーザが気流による放熱の増大を求めた場合、定位置吹き出しの時間が短くなるよう（例えば人が快適さに慣れる時間の５分）リモコンで設定することができ、ユーザの好みに合わせた温熱環境を提供することができる。また、定位置吹き出しの時間の初期の設定（例えば人が快適さに慣れる時間の５分）での運転時にユーザが気流による放熱の増大による寒さを感じた場合、定位置吹き出しの時間を長く（例えば人が快適さに慣れる時間の２倍の１０分）することで、ユーザにとってより快適な温熱環境を提供することができる。
【００７２】
上記各実施例においては、設定室温と室温との差、運転開始からの時間、床などの物体の表面温度センサ、室内ファンの回転数、外気温度、設定温度、室温を２段階に分けて、スイング吹き出しの時間又は定位置吹き出しの時間が異なる場合について説明した。しかし、本発明はこれに限定されるものではない。例えば、設定室温と室温との差に応じてスイング吹き出しの時間又は定位置吹き出しの時間を変化させる場合には、設定室温と室温との差を１度ピッチでその差に比例して吹き出し時間を増減させてもよい（図２２）。
【００７３】
また、設定室温と室温との差と指数関数や対数関数、ｎ次関数のような曲線の関係で吹き出し時間を増減させてもよい（図２３）。
【００７４】
また、設定室温と室温との差に、ステップ変化で吹き出し時間を増減させてもよい（例えば図１０）。
【００７５】
また、設定室温と室温との差にランプ変化で吹き出し時間を増減させてもよい（図２４）。
【００７６】
さらに、スイング吹き出しの時間及び定位置吹き出しの時間は、上記各実施例で例として挙げた値に限定されるものではなく、ＳＥＴやＰＭＶといった温熱環境評価指標に基づく値や、実験に基づく値、ウェーバー比、独自の基準で決めた値などであっても良い。
【００７７】
さらに、スイング吹き出しの時間及び定位置吹き出しの時間は、上記各実施例で例として挙げた値に限定されるものではなく、経時的に増減しても良い。
【符号の説明】
【００７８】
ＴＳ  室温
ΔＴＳ  設定室温と室温との差
ＴＳＦ  スイング吹き出しの時間
ＴＳＳ  設定室温
ＴＴＦ  定位置吹き出しの時間
ＴＵ  運転開始からの経過時間
１  室内機
２  室外機
５  室内熱交換器
７  送風ファン
１０  上下風向板
１１  左右風向板
１４  空気吸込口
１５  吹出風路
１６  上側空気吸込部
１７  前側空気吸込部
【図１】
2013134005.tif 000003
【図２】
2013134005.tif 000004
【図３】
2013134005.tif 000005
【図４】
2013134005.tif 000006
【図５】
2013134005.tif 000007
【図６】
2013134005.tif 000008
【図７】
2013134005.tif 000009
【図８】
2013134005.tif 000010
【図９】
2013134005.tif 000011
【図１０】
2013134005.tif 000012
【図１１】
2013134005.tif 000013
【図１２】
2013134005.tif 000014
【図１３】
2013134005.tif 000015
【図１４】
2013134005.tif 000016
【図１５】
2013134005.tif 000017
【図１６】
2013134005.tif 000018
【図１７】
2013134005.tif 000019
【図１８】
2013134005.tif 000020
【図１９】
2013134005.tif 000021
【図２０】
2013134005.tif 000022
【図２１】
2013134005.tif 000023
【図２２】
2013134005.tif 000024
【図２３】
2013134005.tif 000025
【図２４】
2013134005.tif 000026